(57)【要約】      （修正有）【課題】複数枚の非接触式ＩＣカードを用いた改札処理を正確に行える自動改札機、および自動改札システムを提供する。【解決手段】複数のＩＣカードを併用する場合、利用者が入場時に利用する複数のＩＣカード全てを翳し、入場用の自動改札機は、入場時に翳された全てのＩＣカードに利用者が翳した全ＩＣカードを示す複数利用情報を含む入場情報を記憶し、出場用の自動改札機は、利用者が翳す何れかのＩＣカードから読み取った複数利用情報で示される入場時に翳された全てのＩＣカードがあることを確認し、入場時に翳された全てのＩＣカードが確認できた場合、それらのＩＣカードの組合せにより出場判定を行う。これにより、出場時に利用者が提示する複数のＩＣカードのうち一部のＩＣカードを捕捉できずに、利用者が意図しない出場判定が行われることを防止できる。【選択図】図２
2014063261.tif 000002
【特許請求の範囲】
【請求項１】
入場用の改札機と出場用の改札機とを有する自動改札システムにおいて、
前記入場用の改札機は、
入場しようとする利用者が提示するＩＣカードと通信する第１の通信手段と、
前記第１の通信手段により１人の利用者が提示する複数のＩＣカードと通信する場合、前記複数のＩＣカードから読み取った情報により入場判定を行う入場判定手段と、
前記入場判定手段により入場許可と判定した場合、前記第１の通信手段により通信した前記複数のＩＣカードの全てに当該利用者が提示した全ＩＣカードを示す複数利用情報を含む入場情報を書き込む書込手段と、
前記書込手段による前記複数のＩＣカードに対する入場情報の書込が正常終了した場合、当該利用者の入場を許可する入場制御手段と、を有し、
前記出場用の改札機は、
出場しようとする利用者が提示するＩＣカードと通信する第２の通信手段と、
前記第２の通信手段により通信するＩＣカードから複数利用情報を読み取った場合、前記複数利用情報で示される複数のＩＣカードの全てと通信状態であるか否かを確認する確認手段と、
前記確認手段により前記複数利用情報で示される複数のＩＣカードと通信状態であることと確認した場合、前記通信状態の各ＩＣカードから読み出した情報により出場判定を行う出場判定手段と、
前記出場判定手段による判定結果に従って利用者の出場を制御する出場制御手段と、を有する、
を具備する自動改札システム。
【請求項２】
前記複数利用情報は、１人の利用者が提示した複数のＩＣカードのうち自己以外の他のＩＣカードの識別情報を含み、
前記確認手段は、前記第２の通信手段により通信状態となった１つのＩＣカードから読み取った複数利用情報に含まれる識別情報を有する全てのＩＣカードと通信状態であるか否かを確認する、
前記請求項１に記載の自動改札システム。
【請求項３】
さらに、前記確認手段により前記複数利用情報で示される全てのＩＣカードとの通信状態が確認できない場合、当該利用者に対する出場処理をエラーとする処理手段を有する、
前記請求項１又は２の何れか１項に記載の自動改札システム。
【請求項４】
利用者の入場を制御する入場用の自動改札機において、
入場しようとする利用者が提示するＩＣカードと通信する第１の通信手段と、
前記第１の通信手段により１人の利用者が提示する複数のＩＣカードと通信する場合、前記複数のＩＣカードから読み取った情報により入場判定を行う入場判定手段と、
前記入場判定手段により入場許可と判定した場合、前記第１の通信手段により通信した前記複数のＩＣカードの全てに当該利用者が提示した全ＩＣカードを示す複数利用情報を含む入場情報を書き込む書込手段と、
前記書込手段による前記複数のＩＣカードに対する入場情報の書込が正常終了した場合、当該利用者の入場を許可する入場制御手段と、
を有する自動改札機。
【請求項５】
利用者の出場を制御する出場用の自動改札機において、
出場しようとする利用者が提示するＩＣカードと通信する通信手段と、
前記通信手段により通信するＩＣカードから複数利用情報を読み取った場合、前記複数利用情報で示される複数のＩＣカードの全てと通信状態であるか否かを確認する確認手段と、
前記確認手段により前記複数利用情報で示される複数のＩＣカードと通信状態であることと確認した場合、前記通信状態の各ＩＣカードから読み出した情報により出場判定を行う出場判定手段と、
前記出場判定手段による判定結果に従って利用者の出場を制御する出場制御手段と、
を有する自動改札機。
【請求項６】
前記複数利用情報は、１人の利用者が提示した複数のＩＣカードのうち自己以外の他のＩＣカードの識別情報を含み、
前記確認手段は、前記通信手段により通信状態となった１つのＩＣカードから読み取った複数利用情報に含まれる識別情報を有する全てのＩＣカードと通信状態であるか否かを確認する、
前記請求項５に記載の自動改札機。
【請求項７】
さらに、前記確認手段により前記複数利用情報で示される全てのＩＣカードとの通信状態が確認できない場合、当該利用者に対する出場処理をエラーとするエラー処理手段を有する、
前記請求項５又は６の何れか１項に記載の自動改札機。
【発明の詳細な説明】
【技術分野】
【０００１】
本発明の実施形態は、自動改札機および自動改札システムに関する。
【背景技術】
【０００２】
鉄道やバスなどの交通機関では、非接触式ＩＣカードをＩＣＳＶカードあるいはＩＣ定期券として改札処理を行う自動改札機が運用されている。自動改札機は、通行者が提示する非接触式ＩＣカードから読み取った情報によって改札処理を行う。しかしながら、複数枚のＩＣカードを組み合わせた通行判定を行う場合、自動改札機は、利用者が提示した複数のＩＣカードのうち何れかのＩＣカードとの通信に失敗すると、利用者が意図しない不適切な通行判定を行ってしまう可能性がある。
【先行技術文献】
【特許文献】
【０００３】
【特許文献１】特開２００８−１９７８４６号公報
【発明の概要】
【発明が解決しようとする課題】
【０００４】
本発明が解決しようとする課題は、複数枚の非接触式ＩＣカードを用いた改札処理を正確に行える自動改札機、および自動改札システムを提供することを目的とする。
【課題を解決するための手段】
【０００５】
実施形態によれば、自動改札システムは、第１の通信手段と入場判定手段と書込手段と入場制御手段とを有する入場用の改札機と、第２の通信手段と確認手段と出場判定手段と出場制御手段とを有する出場用の改札機とを有する。入場判定手段は、第１の通信手段により１人の利用者が提示する複数のＩＣカードと通信する場合、前記複数のＩＣカードから読み取った情報により入場判定を行う。書込手段は、入場判定手段により入場許可と判定した場合、第１の通信手段により通信した複数のＩＣカードの全てに当該利用者が提示した全ＩＣカードを示す複数利用情報を含む入場情報を書き込む。確認手段は、第２の通信手段により通信するＩＣカードから複数利用情報を読み取った場合、前記複数利用情報で示される複数のＩＣカードの全てと通信状態であるか否かを確認する。出場判定手段は、確認手段により複数利用情報で示される複数のＩＣカードと通信状態であることを確認した場合、通信状態の各ＩＣカードから読み出した情報により出場判定を行う。出場制御手段は、出場判定手段による判定結果に従って利用者の出場を制御する。
【図面の簡単な説明】
【０００６】
【図１】実施形態に係る自動改札機の外観構成を示す外観図。
【図２】実施形態に係る自動改札機の制御系統の構成例を示すブロック図。
【図３】実施形態に係るカードリーダライタの構成例を示すブロック図。
【図４】実施形態に係るＩＣカード内の構成例を示すブロック図。
【図５】実施形態に係る改札処理としての入場処理の動作例を説明するためのフローチャート。
【図６】実施形態に係る改札処理としての出場処理の動作例を説明するためのフローチャート。
【発明を実施するための形態】
【０００７】
以下、実施形態について図面を参照して説明する。  
図１は、実施形態に係る自動改札機１の外観構成を概略的に示す斜視図である。  
図１に示すような自動改札機１は、例えば、鉄道関係の駅の改札口等に設置され、利用者に対する入場業務や出場業務などの通行制御（改札処理）を行うものである。自動改札機１は、例えば、２台１組で１つの改札用の通路を形成している。自動改札機１は、改札用の通路を１方向にのみ通過可能な入場専用あるいは出場専用の専用機として用いられる場合と、改札用の通路を両方向に通過可能な両用機として用いられる場合とがある。自動改札機１は、予め入場用の専用機、出場用の専用機、あるいは、両用機に設定されるようになっている。
【０００８】
自動改札機１は、カード処理端末装置として機能し、無線によるデータ通信が可能な無線通信機器としての非接触式（無線式）のＩＣカードＣに記憶されている情報に基づいて改札処理を行う機能を有する。また、自動改札機１は、非接触式ＩＣカードの通信機能を有する携帯電話機などの携帯型の情報端末機に記憶されている情報に基づいて改札処理を行う機能を有するものであっても良い。以下の説明では、自動改札機１の改札処理において、複数の非接触式ＩＣカードＣが用いられる場合について説明するが、非接触式の無線通信機能を有する携帯型の情報端末機と非接触式ＩＣカードＣとの組み合わせを用いる場合も同様に実現できる。
【０００９】
上記非接触式ＩＣカード（以下、単に、ＩＣカードとも称する）Ｃは、自動改札機１により乗車券として処理されるものであり、定期券（以下、ＩＣ定期券とも称する）、運賃精算のための料金前払い方式のストアードフェアカード（以下、ＩＣＳＶカードとも称する）、あるいは、運賃精算のための料金後払い方式のカードなどの機能を有する。上記ＩＣカードＣを所持する利用者は、上記自動改札機１が形成する通路を通過する場合、自身が所持しているＩＣカードＣを所定の通信領域に提示する。すると、自動改札機１では、利用者が提示した全てのＩＣカードＣを捕捉（通信状態）し、各ＩＣカードに記録されている情報を読み取る。自動改札機１は、各ＩＣカードから読み取った情報に基づいて通行の可否を判断し、その判断結果に基づいて当該利用者の通行を制御するとともに、改札処理の結果としての情報を当該ＩＣカードＣに書き込む。
【００１０】
図１に示す構成例では、自動改札機１を形成する筐体上面の一端部には、上記のような乗車券として用いられるＩＣカードＣとの無線通信（データの読取及び書込み）を行うためのカードリーダライタ３が設けられている。上記カードリーダライタ３は、電波の送受信を行うアンテナ（図示しない）及び送受信回路などにより構成されている。
【００１１】
上記自動改札機１を形成する筐体上面の他端部には、利用者や駅員などに対して案内を行うための案内表示部５が設けられている。上記案内表示部５は、例えば、液晶表示装置などにより構成される。  
上記自動改札機１を形成する筐体の通路側の側面の両端部には、それぞれ通行者の通行の許可不許可を行う開閉動作可能なドア６、６が設けられている。上記ドア６は、利用者が所持するＩＣカードＣの判定結果、及び、人間検知センサの検知結果などに基づいて開閉制御されるようになっている。  
上記自動改札機１を形成する筐体上面には、小児券や無効券が投入されたことなどの動作状態を表示する状態表示部７が設けられている。
【００１２】
上記自動改札機１を形成する筐体上面のセンサカバー内には、人間検知センサ１１〜１７が設けられている。さらに、自動改札機１を形成する筐体の通路側の側面には、人間検知センサ２１〜２６が設けられている。上記人間検知センサ１１〜１７、２１〜２６は、反射型の検知センサ、あるいは透過型の検知センサにより構成される。上記人間検知センサ１１〜１７、２１〜２６は、通路内の人間を検知するものである。これらの人間検知センサ１１〜１７、２１〜２６の検知結果に基づいて通路を通過中の利用者の位置、あるいは、利用者が大人か子供かなどが判定されるようになっている。
【００１３】
また、入場用或いは出場用の専用機として用いられる自動改札機１では、利用者が通行する方向が定められており、その方向に対して利用者が通路に進入する側のドアは開放された状態となっており、通路を退場する側のドアが通行可否の判定結果などに応じて制御される。これに対して、上記両用機として用いられる自動改札機１では、利用者が通行する方向が予め決まっていない。このため、上記両用機として用いられる自動改札機１では、図示しない接近センサなどの検知結果に基づいて自動改札機に接近してきた利用者を検知し、利用者が接近してきた側からの通行を制御する。
【００１４】
すなわち、両用機として用いられる自動改札機１では、利用者の接近してきた方向に応じて通路の通行方向が決定され、入場用の自動改札機として機能するか、出場用の自動改札機として機能するかが切り替えられる。このような自動改札機１は、利用者の接近してきた方向に応じた通路の通行方向に対して、利用者が通路に進入する側のドア６を開放し、退場する側のドア６を通行可否の判定結果などに応じて制御する。また、両用機として用いられる自動改札機１では、利用者の接近に応じて通行方向が決定されるため、利用者が自動改札機１近傍にいない場合には両側のドア６が開放された状態で待機するようになっている。
【００１５】
なお、上記自動改札機１にて磁気式記録媒体としての磁気式乗車券も処理可能としても良い。この場合、自動改札機１は、上面の一端部（通路の進入口側の端部）に有効期間や利用区間などの改札情報が磁気エンコード記録された磁気式乗車券（定期券や普通乗車券など）が投入される投入口が設けられ、上面の他端部（通路の退出口側の端部）に案内表示部５の手前に投入口から受入れた磁気式乗車券を排出する取出口が設けられる。
【００１６】
図２は、上記のように構成された自動改札機１の制御系統の構成を示すものである。  
図２に示すように、自動改札機１は、制御部３１により全体が制御される。上記制御部３１には、ＲＯＭ（リード・オンリ・メモリ）３２、ＲＡＭ（ランダム・アクセス・メモリ）３３、データメモリ３４、表示制御回路３６、ドア開閉機構３７、人間検知センサ１１〜１７、２１〜２６、カードリーダライタ３、および、伝送制御回路３８などが接続されている。
【００１７】
制御部３１は、ＣＰＵ（セントラル・プロセッシング・ユニット）などにより構成され、ＲＯＭなどのメモリに記憶されているプログラムを実行することにより種々の処理機能を実現する。たとえば、制御部３１は、ＣＰＵがプログラムを実行することにより、１又は複数のＩＣカードから読み取った情報に基づく入場又は出場の判定処理（入場判定手段、出場判定手段）、特定のＩＣカードとの通信状態を確認する確認処理（確認手段）、カードリーダライタ３を制御してＩＣカードに情報を書き込ませる書込処理（書込手段）、ドアの開閉などを制御した利用者の入場又は出場を制御する入場又は出場の通行制御処理（入場制御手段、出場制御手段）などを実現する。
【００１８】
上記ＲＯＭ３２は、予めデータが記憶されている不揮発性のメモリで構成される。例えば、上記ＲＯＭ３２には、制御部３１により実行される制御プログラムや制御データなどが記憶されている。上記ＲＡＭ３３は、一時的にデータを記憶する揮発性メモリで構成される。例えば、上記ＲＡＭ３３は、上記制御部３１にて実行される制御プログラムなどのバッファメモリとして機能する。
【００１９】
上記データメモリ３４は、書き換え可能な不揮発性メモリにより構成される。上記データメモリ３４には、例えば、運賃情報や上位装置としてのホストコンピュータ（図示しない）からダウンロードされたデータなどが記憶されている。
【００２０】
上記表示制御回路３６は、上記案内表示部５の表示制御を行うものである。例えば、上記表示制御回路３６は、上記制御部３１からの指示に応じて上記案内表示部５に通行の可否を示す情報などを表示する。上記ドア開閉機構３７は、上記ドア６を開閉する機構である。上記ドア開閉機構３７は、上記制御部３１による制御に基づいて上記ドア６を開閉駆動するようになっている。
【００２１】
また、上記カードリーダライタ３は、上記制御部３１からの動作指示に基づいてＩＣカードＣとのデータの送受信を行うようになっている。上記伝送制御回路３８は、ホストコンピュータ（図示しない）などの上位装置とのデータ通信を行うインターフェースである。
【００２２】
次に、上記カードリーダライタ３の構成例について説明する。  
図３は、上記カードリーダライタ３の構成例を示すブロック図である。  
上記カードリーダライタ３は、図３に示すように、制御部４１、メモリ４２、インターフェース４３、送受信回路４４、アンテナ４５などを有している。
【００２３】
上記制御部４１は、カードリーダライタ全体の制御を司るものである。上記メモリ４２は、上位装置として上記自動改札機１本体の制御部３１から与えられたデータや上記ＩＣカードＣとの通信データなどを一時的に記憶するものである。上記インターフェース４３は、上記自動改札機本体の制御部３１とのデータの送受信を行うインターフェースである。
【００２４】
上記送受信回路４４は、上記アンテナ４５を介して上記ＩＣカードＣとのデータの送受信を行うものである。上記送受信回路４４は、例えば、変復調回路、送信回路、受信回路などにより構成されている。上記アンテナ４５は、無線電波を送信したり、無線電波を受信したりするものである。上記送受信回路４４及び上記アンテナ４５は、自動改札機１の送信手段あるいは通信手段として機能し、上記通信範囲内のＩＣカードＣとの無線通信を行う。
【００２５】
次に、上記ＩＣカードＣの構成例について説明する。  
図４は、上記ＩＣカードＣの構成例を示すブロック図である。  
ＩＣカードＣは、図４に示すように、ＣＰＵ（セントラル・プロセッシング・ユニット）５１、ＲＯＭ５２、ＲＡＭ５３、不揮発性メモリ５４、送受信回路５５、アンテナ５６、および電源生成部５７を有している。上記ＣＰＵ５１、ＲＯＭ５２、ＲＡＭ５３、不揮発性メモリ５４、送受信回路５５及び電源生成部５７などの各部は、ＩＣチップにより構成され、ＩＣチップと送受信回路５５とを接続したモジュールＭがプラスチックなどで形成されたカード状の本体（筐体）内に埋設されたＩＣカードＣを構成している。
【００２６】
上記ＣＰＵ５１は、ＩＣカードの制御手段としての機能し、ＩＣカード全体の制御を司るものである。ＣＰＵ５１は、ＲＯＭ５２、或いは不揮発性メモリ５４などのメモリに記憶されたプログラムを実行することにより種々の処理機能を実現する。たとえば、ＣＰＵ５１は、ＲＯＭ５２に記憶されたプログラムを実行することにより、カードリーダライタ３から受信したコマンドに応じた各種の処理を実現するようになっている。
【００２７】
上記ＲＯＭ５２は、プログラムメモリとして機能し、例えば、マスクＲＯＭなどの書換え不可能な不揮発性メモリにより構成されている。上記ＲＯＭ５２には、当該ＩＣカードＣの動作を司る制御プログラムやデータなどが記憶されている。カードリーダライタ３などの外部からの種々のコマンドに対する当該ＩＣカードＣの動作は、上記ＲＯＭ５２に記憶される各コマンドに対応する各制御プログラムにより実現される。
【００２８】
上記ＲＡＭ５３は、ワーキングメモリとして機能し、書換え可能な揮発性メモリにより構成されている。上記ＲＡＭ５３は、例えば、外部との通信データや上記ＣＰＵ５１により実行される種々の処理における作業用のデータなどを一時的に記憶するバッファメモリとして利用される。
【００２９】
上記不揮発性メモリ５４は、書換え可能な不揮発性のデータメモリとして機能し、たとえば、ＥＥＰＲＯＭやフラッシュメモリなどの記憶内容が書換え可能な不揮発性のメモリにより構成されている。上記不揮発性メモリ５４には、当該ＩＣカードの使用目的や使用用途に応じた運用データとしての各種データが格納（記憶）される。本実施の形態において、不揮発性メモリ５４には、少なくとも乗車券情報および改札情報が記録されるものとする。
【００３０】
上記不揮発性メモリ５４に記憶される乗車券情報は、定期券、運賃精算のためのＳＦカード、あるいは、運賃精算のための料金後払い方式のカードとして当該ＩＣカードＣを使用するための情報である。乗車券情報は、自動改札機１等の駅務機器による処理によって一部の情報が書き換えられる。たとえば、乗車券情報は、カード固有の番号であるカード番号、カード発行会社情報、券種を示す券種情報、利用可能な利用区間（乗車区間）を示す利用区間情報、定期券情報（定期区間、有効期間）、ＳＦカードの残額情報、個人情報（氏名、連絡先等）、利用ログ情報などの情報である。
【００３１】
また、上記不揮発性メモリ５４に記憶される改札情報は、自動改札機１による改札処理によって書き込まれる情報である。たとえば、自動改札機１での入場処理では、入場時間、入場駅、入場フラグ、および、複数利用情報（複数のＩＣカードを利用する場合）などの入場情報が改札情報として不揮発性メモリ５４に書き込まれ、自動改札機１での出場処理では、出場時間、出場駅、および、出場フラグなどの出場情報が改札情報として不揮発性メモリ５４に書き込まれる。
【００３２】
上記送受信回路５５は、上記アンテナ５６を介して上記カードリーダライタ３などの外部機器とのデータ通信を行うものである。上記送受信回路５５は、例えば、変調回路、復調回路、送信回路及び受信回路などにより構成される。上記アンテナ５６は、電波の送受信を行うものである。上記アンテナ５６は、例えば、当該ＩＣカードＣの筐体内に埋設され、上記ＣＰＵ５１、ＲＯＭ５２、ＲＡＭ５３、不揮発性メモリ５４、送受信回路５５及び電源生成部５７などの機能を有するＩＣチップに接続されている。
【００３３】
上記送受信回路５５及び上記アンテナ５６は、ＩＣカードの通信手段として機能し、上記カードリーダライタ３とのデータの送受信を実現するものである。例えば、上記カードリーダライタ３から電波で送信されたコマンドは、上記アンテナ５６により受信されて受信信号として上記送受信回路５５に供給される。上記送受信回路５５では、上記アンテナ５６から供給された受信信号を復調して上記ＣＰＵ５１へ供給するようになっている。また、当該ＩＣカードＣ内で生成された送信データは、上記送受信回路５５により変調されて上記アンテナ５６を介して外部へ送信される。
【００３４】
上記電源生成部５７は、ＩＣカードの電源生成手段として機能し、アンテナ５６が受信した電力波から動作電圧を生成するものである。上記電源生成部５７は、上記アンテナ５６が受信した電力波から生成した動作電圧を当該ＩＣカードＣ内の各部に供給するようになっている。
【００３５】
次に、上記自動改札機１と上記ＩＣカードＣとの通信制御について概略的に説明する。  
上述したように、上記ＩＣカードＣは、無線通信により外部機器とのデータ通信を行う機能を有し、乗車券情報および改札情報などを記憶している。このようなＩＣカードＣに対して自動改札機１は、上記カードリーダライタ３により種々の処理命令をコマンドとして送信する。これらの自動改札機１からのコマンドに対してＩＣカードＣでは、受信したコマンドに対応する処理を実行し、その実行結果を自動改札機１へ返すようになっている。
【００３６】
また、自動改札機１は、複数のＩＣカードと通信可能な状態となりうる。たとえば、複数のＩＣカードを所持している利用者は、それらのＩＣカードを１つのカードケース等に収納した状態で所持していることが多い。このような場合、利用者がＩＣカードをカードケースごと提示すると、自動改札機１のカードリーダライタ３の通信範囲内には、複数のＩＣカードが存在することとなる。このように、複数のＩＣカードを所持している１人の通行者が複数のＩＣカードを一括してカードリーダライタ３の通信範囲内に提示した場合、自動改札機１のカードリーダライタ３は、複数のＩＣカードとの通信が可能な状況となる。また、本実施形態に係る自動改札機１は、複数のＩＣカードによる通行制御を行う機能を有する。自動改札機１では、複数のＩＣカードとの通信を行って、それらのＩＣカードから読み取った複数の乗車券情報の組み合わせに基づいて通行の可否を判定する機能を有している。
【００３７】
複数のＩＣカードが通信範囲内に存在する場合、カードリーダライタ３は、各ＩＣカードに対してコマンドを送信し、そのコマンドに対するレスポンスを各ＩＣカードから受信することにより各ＩＣカードとの通信を行う。１つのカードリーダライタ３と複数のＩＣカードとの無線通信は、種々の制御方式により実行可能である。ここでは、カードリーダライタ３が複数のＩＣカードを順次選択して各ＩＣカードとの通信を行うものとする。
【００３８】
自動改札機１では、待機状態において、ＩＣカードＣからの応答を要求する信号をカードリーダライタ３から発信することによりポーリングを行っている。なお、人間検知センサにより自動改札機１に接近する人間を検知した場合にのみ、自動改札機１は、ポーリングを行うようにしても良い。上記のような応答要求を受信したＩＣカードは、それぞれ自動改札機１へ応答信号を出力する。ＩＣカードＣからの応答を受信すると、自動改札機１は、応答を発信した各ＩＣカードＣとの通信を開始する。
【００３９】
複数のＩＣカードが通信範囲内に存在する場合、各ＩＣカードは、それぞれが自動改札機１からのポーリングに対して応答信号を出力する。複数のＩＣカードからの応答信号を受信した場合、自動改札機１は、各ＩＣカードとの通信を行うために、各ＩＣカードを識別する。たとえば、自動改札機１は、各ＩＣカードから識別番号を取得し、取得した識別番号によって識別される各ＩＣカードとの通信を選択的に実行できる。
【００４０】
次に、実施形態に係る自動改札機１による改札処理について説明する。  
まず、自動改札機１による複数のＩＣカードＣに対する入場時の処理（入場処理）について説明する。  
図５は、自動改札機１による複数のＩＣカードＣに対する入場処理の例を説明するためのフローチャートである。  
たとえば、自動改札機１は、駅の改札口に並べられる。改札口に並べられた自動改札機１は、入場用の通路と出場用の通路とを形成している。入場用の自動改札機１は、待機状態において、入場用の通路の入口側に設けられたカードリーダライタ３により入場しようとする利用者が提示する１又は複数のＩＣカードに対するポーリングを行っている。
【００４１】
一例として、利用者がＩＣ定期券とＩＣＳＶとの２つのＩＣカードを利用するものとする。この場合、利用者は、２つのＩＣカードを自動改札機１におけるカードリーダライタ３の通信範囲内に提示する。すると、利用者が提示した２つのＩＣカードは、それぞれ自動改札機１のカードリーダライタ３が発信している電波により起動して、ポーリングに対する応答信号を発信する。
【００４２】
自動改札機１のカードリーダライタ３は、ＩＣカードがポーリングに対して出力する応答信号を受信する（ステップＳ１１）。制御部３１は、カードリーダライタ３が受信するＩＣカードからの応答信号を取得する。制御部３１は、カードリーダライタ３が受信する応答信号により通信範囲に提示された各ＩＣカードとの通信状態を確立（捕捉）し、１人の利用者が複数のＩＣカードを提示しているか否かを判断する（ステップＳ１２）。
【００４３】
たとえば、制御部３１は、最初の応答信号を受信してからの所定時間を応答許容時間として他のＩＣカードからの応答信号を受信できた否かにより複数のＩＣカードが提示されたか否かを判断する。また、制御部３１は、人間検知センサ１１〜１７、２１〜２６により入場用の通路内あるいは入場用の通路に接近する各利用者の位置を検出し、１人の利用者がＩＣカードを提示できる所定の領域に存在する間を応答許容期間とし、その応答許容期間内に受信した応答信号により複数のＩＣカードが提示されたか否かを判断するようにしても良い。
【００４４】
複数のＩＣカードを提示していないと判断した場合（ステップＳ１２、ＮＯ）、制御部３１は、利用者が提示する１つのＩＣカードを用いた入場処理を行う（ステップＳ１３）。たとえば、制御部３１は、利用者が提示した１つのＩＣカードの有効性をチェックし、当該ＩＣカードから読み取った情報により入場の可否を判定する。この場合、制御部３１は、入場許可と判定すれば、当該ＩＣカードに入場日時などの入場情報を書き込んでドアを開放し、入場不可と判定すれば、ドアを閉鎖する。
【００４５】
また、１人の利用者が複数のＩＣカードを提示していると判断した場合（ステップＳ１２、ＹＥＳ）、制御部３１は、利用者が提示した複数のＩＣカードに対して個々に有効性をチェックする（ステップＳ１４）。すなわち、制御部３１は、各ＩＣカードが、ＩＣ定期券、ＩＣＳＶあるいはその他の乗車券として有効であるかをチェックする。たとえば、制御部３１は、ＩＣカードに対する乗車券情報（例えば定期券）の有効期限、および、入出場サイクルの正当性などを各ＩＣカードの有効性としてチェックする。
【００４６】
各ＩＣカードに対する有効性チェックを行うと、制御部３１は、利用者が提示した複数のＩＣカード（通信状態となったＩＣカード）に有効性がない（無効）と判定されたＩＣカードが存在するか否かを判定する（ステップＳ１５）。無効と判定されたＩＣカードが存在すると判定した場合（ステップＳ１５、ＮＯ）、制御部３１は、無効なカードが提示された旨を案内表示部５に表示し（ステップＳ１６）、ドア６を閉鎖することにより当該利用者の入場を阻止する（ステップＳ１７）。
【００４７】
また、利用者が提示した複数のＩＣカードが全て有効であると判定した場合（ステップＳ１５、ＹＥＳ）、制御部３１は、有効であると判定した各ＩＣカードから読み取った情報に基づいて入場判定を行う（ステップＳ１８）。ただし、利用者が提示した複数のＩＣカードに有効性がないと判定されたＩＣカードが存在した場合、制御部３１は、有効と判定された１又は複数のＩＣカードを用いて入場判定を行うようにして良い。
【００４８】
利用者が提示した複数のＩＣカードから読み取った情報に基づく入場判定では、何れか１枚のＩＣカードに記憶されている情報によって入場可と判定される場合が多いと想定される。このような場合であっても、制御部３１は、利用者の不利益とならないように入場判定を行う。たとえば、ＩＣ定期券とＩＣＳＶとが提示された場合、制御部３１は、定期区間内であるかを優先的に判定し、定期区間内であればＩＣＳＶから料金の引き去りなどを行うことなく入場可であると判定する。また、ＩＣ定期券とＩＣＳＶとが提示された場合、制御部３１は、定期区間内でなければＩＣＳＶから所定金額（例えば初乗り料金）の引き去りなどを行うことで入場可とすると判定する。
【００４９】
上述したような入場判定により入場不可と判定した場合（ステップＳ１９、ＮＯ）、制御部３１は、入場判定が不可となった旨を案内表示部５に表示し（ステップＳ２０）、ドアを閉鎖することにより当該利用者の入場を阻止する（ステップＳ１７）。
【００５０】
また、入場判定により入場可と判断した場合（ステップＳ１９、ＹＥＳ）、制御部３１は、カードリーダライタ３を用いて利用者が提示した複数のＩＣカードの全てに複数利用情報を含む入場情報を書き込む書込み処理を行う（ステップＳ２１）。複数利用情報は、利用日、複数利用フラグ、および、併用する各ＩＣカードの識別情報などを含む情報である。たとえば、利用者が第１のＩＣカード（例えば、ＩＣ定期券）と第２のＩＣカード（例えば、ＩＣＳＶ）との２つのＩＣカードを提示したものとする。この場合、第１のＩＣカードに記憶する複数利用情報には第２のＩＣカードの識別情報が含まれ、第２のＩＣカードに記憶する複数利用情報には第１のＩＣの識別情報が含まれる。また、入場情報としては、複数利用情報の他に、入場日時、入場場所（入場駅）および入場フラグなどの情報が含まれる。
【００５１】
利用者が提示した複数のＩＣカードへの入場情報の書き込み処理が正常終了できなかった場合（ステップＳ２２、ＮＯ）、制御部３１は、提示されたＩＣカードへの書き込みが正常でない事を示す案内を案内表示部５に表示し（ステップＳ２３）、ドア６を閉鎖することにより当該利用者の通行を阻止する（ステップＳ１７）。
【００５２】
利用者が提示した複数のＩＣカードへの入場情報の書き込み処理が正常終了した場合（ステップＳ２２、ＹＥＳ）、制御部３１は、案内表示部５に入場可である旨を案内表示し（ステップＳ２４）、ドア６を開放することにより当該利用者の通行を許可する（ステップＳ２５）。なお、出場処理に必要な情報の書き込みが完了し、出場処理には影響がない一部の情報の書き込みに失敗した場合には、制御部３１は、書込み処理が未了であることを案内表示部５により案内しつつ、ドア６を開放して当該利用者の入場を許可するようにしても良い。
【００５３】
次に、自動改札機１による複数のＩＣカードＣに対する出場時の処理（出場処理）について説明する。  
図６は、自動改札機１による複数のＩＣカードＣに対する出場処理の例を説明するためのフローチャートである。  
出場用の自動改札機１は、待機状態において、出場用の通路の入口側に設けられたカードリーダライタ３により出場しようとする利用者が提示する１又は複数のＩＣカードに対するポーリングを行っている。たとえば、出場しようとする利用者が２つのＩＣカードをカードリーダライタ３の通信範囲内に提示すると、２つのＩＣカードは、それぞれ自動改札機１のカードリーダライタ３が発信している電波により起動してポーリングに対する応答信号を発信する。
【００５４】
自動改札機１のカードリーダライタ３は、ＩＣカードがポーリングに対して出力する応答信号を受信する（ステップＳ３１）。制御部３１は、カードリーダライタ３により受信したＩＣカードからの応答信号を取得する。応答信号を受信すると、制御部３１は、応答信号の発信元のＩＣカードに複数利用情報が記憶されているか否かを判断する（ステップＳ３２）。たとえば、制御部３１は、応答信号を発信したＩＣカードから複数利用情報を読み取れるか否かにより、複数利用情報が有るか否かを判断する。
【００５５】
応答信号の発信元のＩＣカードに複数利用情報が記憶されていないと判断した場合（ステップＳ３２、ＮＯ）、制御部３１は、応答信号の発信元の１つのＩＣカードによる出場処理を行う（ステップＳ３３）。たとえば、制御部３１は、利用者が提示した１つのＩＣカードの有効性をチェックし、当該ＩＣカードから読み取った情報により出場の可否を判定する。制御部３１は、出場許可と判定すれば当該ＩＣカードに出場日時、出場駅および出場フラグなどの出場情報を書き込んでドア６を開放し、出場不可と判定すればドア６を閉鎖する。
【００５６】
また、応答信号の発信元のＩＣカードが複数利用情報を記憶していると判断した場合（ステップＳ３２、ＹＥＳ）、制御部３１は、当該ＩＣカードから複数利用情報を取得し、取得した複数利用情報で示される複数のＩＣカードが全て通信状態となっているか否かを判断する（ステップＳ３４）。たとえば、制御部３１は、複数利用情報で示される複数のＩＣカードからの応答信号を受信済みか否かにより全てのＩＣカードと通信状態となっているか否かを判断する。
【００５７】
複数利用情報で示される全てのＩＣカードとの通信状態が確立されていないと判断した場合（ステップＳ３４、ＮＯ）、制御部３１は、１人の利用者に対する応答許容期間内であれば（ステップＳ３５、ＮＯ）、通信状態となっていないＩＣカード（応答信号が未受信のＩＣカード）からの応答信号の受信待ち状態とし、応答信号を受信ごとに全てのＩＣカードと通信状態となったか否かの判断を行う。
【００５８】
たとえば、制御部３１は、最初の応答信号を受信してから所定時間を応答許容期間とする。また、制御部３１は、人間検知センサ１１〜１７、２１〜２６により出場用の通路内あるいは出場用の通路に接近する各利用者の位置を検出し、１人の利用者がＩＣカードを提示できる所定の領域に存在する間を応答許容期間としても良い。
【００５９】
応答許容期間内に全てのＩＣカードと通信状態にならなかった場合（ステップＳ３５、ＮＯ）、つまり、入場時に利用者が提示した全てのＩＣカードとの通信ができなければ、制御部３１は、当該利用者に対する出場処理をエラーとして処理する。すなわち、入場時に利用者が提示した全てのＩＣカードとの通信ができなければ、制御部３１は、提示したＩＣカードが不足している事、あるいはＩＣカードとの通信エラーである事を案内表示部５に表示し（ステップＳ３６）、ドア６を閉鎖することにより（ステップＳ３７）、当該利用者の出場を阻止する。
【００６０】
複数利用情報で示される全てのＩＣカードと通信状態になった場合（ステップＳ３５、ＹＥＳ）、つまり、入場時に利用者が提示した全てのＩＣカードと通信できた場合、制御部３１は、通信状態となっている複数のＩＣカード（複数利用情報で示される全てのＩＣカード）から読み取った情報に基づいて出場判定を行う（ステップＳ３８）。
【００６１】
利用者が提示した複数のＩＣカードから読み取った情報に基づく出場判定では、利用者の不利益とならないように複数のＩＣカードから読み取った情報を組み合わせた出場判定を行う。たとえば、ＩＣ定期券とＩＣＳＶとが提示された場合、制御部３１は、定期区間を基準として定期区間外分の料金をＩＣＳＶから引き去り可能か否かにより出場の可否を判定する。また、少なくとも１つのＩＣＳＶが含まれる場合、制御部３１は、出場判定処理において出場の可否を判定するとともに、どのＩＣＳＶから幾らの金額を引き去るかも判定する。たとえば、複数のＩＣＳＶが提示された場合、制御部３１は、残額の少ない方を優先的に料金の引き去り対象とするような料金決済を行うようにしても良い。
【００６２】
上述したような出場判定により出場不可と判定した場合（ステップＳ３９、ＮＯ）、制御部３１は、出場判定が不可となった旨を案内表示部５に表示し（ステップＳ４０）、ドア６を閉鎖することにより当該利用者の入場を阻止する（ステップＳ３７）。
【００６３】
また、出場判定により出場可と判断した場合（ステップＳ３９、ＹＥＳ）、制御部３１は、カードリーダライタ３を用いて利用者が提示した複数のＩＣカードの全てに出場情報を書き込む書込み処理を行う（ステップＳ４１）。たとえば、制御部３１は、出場情報としては、出場日時、出場場所（出場駅）および出場フラグなどの情報を各ＩＣカードに書き込む。この場合、入場時に各ＩＣカードに記録された複数利用情報は消去するようにしても良い。また、出場可の条件としてＩＣＳＶからの金額の引き去りが必要であると判定された場合、制御部３１は、ＩＣＳＶの残額情報を書き換えることにより、出場するために必要な金額をＩＣＳＶから引き去る処理も行う。
【００６４】
全てのＩＣカードへの出場情報の書き込み処理が正常終了できなかった場合（ステップＳ４２、ＮＯ）、制御部３１は、全ＩＣカードへの書き込みが完了していない事を示す案内を案内表示部５に表示し（ステップＳ４３）、ドア６を閉鎖することにより当該利用者の出場を阻止する（ステップＳ３７）。
【００６５】
また、複数のＩＣカードへの出場情報の書き込み処理が正常終了した場合（ステップＳ４２、ＹＥＳ）、制御部３１は、案内表示部５に出場可である旨を案内表示し（ステップＳ４４）、ドア６を開放することにより当該利用者の通行を許可する（ステップＳ４５）。
【００６６】
上記のように、本実施形態に係る自動改札システムにおいて、複数のＩＣカードを併用する場合、利用者が入場時に利用する複数のＩＣカード全てを翳し、入場用の自動改札機は、入場時に翳された全てのＩＣカードに利用者が翳した全ＩＣカードを示す複数利用情報を含む入場情報を記憶し、出場用の自動改札機は、利用者が翳す何れかのＩＣカードから読み取った複数利用情報で示される入場時に翳された全てのＩＣカードがあることを確認し、入場時に翳された全てのＩＣカードが確認できた場合、それらのＩＣカードの組合せにより出場判定を行う。
【００６７】
これにより、出場時に利用者が提示する複数のＩＣカードのうち一部のＩＣカードを捕捉できずに、利用者が意図しない出場判定が行われることを防止できる。たとえば、出場時に利用者がＩＣＳＶとＩＣ定期券との組合せで出場判定したい場合、本実施形態の自動改札システムでは、入場時にＩＣ定期券とＩＣＳＶとにお互いの識別情報を含む複数利用情報を書き込んでおき、出場時にはＩＣ定期券が捕捉できなければ、ＩＣＳＶだけでの精算（出場判定）を行ず、エラーとして処理する。これにより、ＩＣ定期券が捕捉できずにＩＣＳＶから過剰な運賃（ＩＣ定期券の定期区間分の運賃を含めた運賃）が徴収されてしまうことを防止できる。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
Ｃ…ＩＣカード、１…自動改札機、３…カードリーダライタ、５…案内表示部、６…ドア、１１〜１７、２１〜２６…人間検知センサ、３１…制御部、３２…ＲＯＭ、３３…ＲＡＭ、３４…データメモリ、３６…表示制御回路、３７…ドア開閉機構。
【図１】
2014063261.tif 000003
【図２】
2014063261.tif 000004
【図３】
2014063261.tif 000005
【図４】
2014063261.tif 000006
【図５】
2014063261.tif 000007
【図６】
2014063261.tif 000008